(57)【要約】【課題】  本発明は、印刷物の判別方法及びその判別機器に関する。【解決手段】  赤外線吸収インキで印刷される領域を含む第１の領域と、赤外線吸収インキで印刷される領域を含む第２の領域を有する印刷物の判別方法において、前記印刷物を所定の折り曲げ位置で折り曲げて、前記第１の領域及び前記第２の領域が重なった領域を形成し、前記折り曲げた印刷物を判別機器の収納部の所定の位置に挿入し、光照射部と受光部から成る少なくとも一つの所定の位置に配置される検出部によって前記重なった領域に赤外線光を照射し、前記重なった領域の赤外線透過光を受光部で受光し、少なくとも一つの特徴データを検出し、記憶部にあらかじめ記憶される前記重なった領域の少なくとも一つの基準レベルを読み出し、前記基準レベルと前記検出された特徴データを演算部で比較し、比較結果に基づいて報知部によって前記印刷物の真偽の報知をする。【選択図】  図４
2007213360.tif 000002
【特許請求の範囲】
【請求項１】
赤外線吸収インキで印刷される領域を含む第１の領域と、赤外線吸収インキで印刷される領域を含む第２の領域を有する印刷物の判別方法において、
前記印刷物を所定の折り曲げ位置で折り曲げて、前記第１の領域及び前記第２の領域が重なった領域を形成し、
前記折り曲げた印刷物を判別機器の収納部の所定の位置に挿入し、
光照射部と受光部から成る少なくとも一つの所定の位置に配置される検出部によって前記重なった領域に赤外線光を照射し、前記重なった領域の赤外線透過光を受光部で受光し、少なくとも一つの特徴データを検出し、
記憶部にあらかじめ記憶される前記重なった領域の少なくとも一つの基準レベルを読み出し、前記基準レベルと前記検出された特徴データを演算部で比較し、比較結果に基づいて報知部によって前記印刷物の真偽の報知をすることを特徴とする印刷物の判別方法。
【請求項２】
前記印刷物が貴重印刷物であって、前記基準レベルが貴重印刷物の種別ごとに設けられ、
前記種別ごとの基準レベルと、前記検出された特徴データを演算部で比較し、比較結果に基づいて報知部によって前記貴重印刷物の種別の報知をすることを特徴とする請求項１記載の印刷物の判別方法。
【請求項３】
赤外線吸収インキで印刷される領域を含む第１の領域と、赤外線吸収インキで印刷される領域を含む第２の領域を有する印刷物の判別方法において、
前記印刷物を所定の折り曲げ位置で折り曲げて、前記第１の領域及び前記第２の領域が重なった領域を形成し、
前記折り曲げた印刷物を判別機器の収納部の所定の位置に挿入し、
光照射部と受光部から成る検出部によって前記重なった領域に赤外線光を照射し、前記重なった領域の赤外線透過光を受光部で受光し、赤外線吸収パターンを検出し、
記憶部にあらかじめ記憶される前記重なった領域の基準パターンを読み出し、前記基準パターンと、前記検出された赤外線吸収パターンを演算部でパターンマッチングによって比較し、比較結果に基づいて報知部によって前記印刷物の真偽の報知をすることを特徴とする印刷物の判別方法。
【請求項４】
前記印刷物が貴重印刷物であって、前記基準レベルが貴重印刷物の種別ごとに設けられ、
前記種別ごとの基準パターンと、前記検出された赤外線吸収パターンを演算部でパターンマッチングによって比較し、比較結果に基づいて報知部によって前記貴重印刷物の種別の報知をすることを特徴とする請求項３記載の印刷物の判別方法。
【請求項５】
前記第１の領域は、赤外線吸収インキで印刷される領域と、赤外線透過インキで印刷される領域から成り、前記第２の領域は、赤外線吸収インキで印刷される領域と、赤外線透過インキで印刷される領域から成ることを特徴とする請求項１、２、３又は４記載の印刷物の判別方法。
【請求項６】
赤外線吸収インキで印刷される領域を含む第１の領域と、赤外線吸収インキで印刷される領域を含む第２の領域を有する印刷物の判別機器において、
前記印刷物を所定の折り曲げ位置で折り曲げて、前記第１の領域及び前記第２の領域が重なった領域を形成し、前記折り曲げた印刷物を所定の位置に収納する収納部と、
前記重なった領域の少なくとも一つの特徴データを検出するための、光照射部と受光部から成る少なくとも一つの所定の位置に配置される検出部と、
前記重なった領域の少なくとも一つの基準レベルを記憶する記憶部と、
前記基準レベルと前記検出された特徴データを比較する演算部と、
比較結果に基づいて前記印刷物の真偽の報知をする報知部を有することを特徴とする印刷物の判別機器。
【請求項７】
前記印刷物が貴重印刷物であって、前記基準レベルが貴重印刷物の種別ごとに設けられ、
前記種別ごとの基準レベルと、前記検出された特徴データを演算部で比較し、比較結果に基づいて報知部によって前記貴重印刷物の種別の報知をすることを特徴とする請求項６記載の印刷物の判別機器。
【請求項８】
赤外線吸収インキで印刷される領域を含む第１の領域と、赤外線吸収インキで印刷される領域を含む第２の領域を有する印刷物の判別機器において、
前記印刷物を所定の折り曲げ位置で折り曲げて、前記第１の領域及び前記第２の領域が重なった領域を形成し、前記折り曲げた印刷物を所定の位置に収納する収納部と、
前記重なった領域の赤外線吸収パターンを検出するための光照射部と受光部から成る検出部と、
前記重なった領域の基準パターンを記憶する記憶部と、
前記基準パターンと前記検出された赤外線吸収パターンをパターンマッチングによって比較する演算部と、
比較結果に基づいて前記印刷物の真偽の報知をする報知部を有することを特徴とする印刷物の判別機器。
【請求項９】
前記印刷物が貴重印刷物であって、前記基準パターンが貴重印刷物の種別ごとに設けられ、
前記種別ごとの基準パターンと、前記検出された赤外線吸収パターンを演算部で比較し、比較結果に基づいて報知部によって前記貴重印刷物の種別の報知をすることを特徴とする請求項８記載の印刷物の判別機器。
【発明の詳細な説明】
【技術分野】
【０００１】
本発明は、貴重印刷物である印刷物の判別方法及びその判別機器に関する。
【背景技術】
【０００２】
銀行券、有価証券、旅券、切手、商品券、株券等の貴重印刷物は、その性質上、偽造、変造され難く、さらに、その貴重印刷物が本物か否か判断できる技術要素が要求され、さらに、容易に真偽判別できる機器が求められている。
【０００３】
近年、カラーコピー機、カラープリンタ等は、一般家庭で手軽に購入できる価格となり、その機器での複写物の再現性は従来に比べて格段に優れる。よって、カラーコピー機、カラープリンタ等による貴重印刷物の偽造が増加するおそれがある。
【０００４】
一方、貴重印刷物は、蛍光インキ、磁性インキ、すき入れ等を用いてカラーコピー機、カラープリンタ等の偽造防止を図っている。
【０００５】
貴重印刷物の判別機器は、貴重印刷物に用いられている蛍光インキの印刷領域、磁性インキの印刷領域、すき入れ等の領域を真偽判別の対象として、その貴重印刷物が本物か否か判別されている。
【０００６】
例えば、すき入れによる判別機器としては、紙幣が載置される、少なくとも一部が光透過性の紙幣載置面を備えて成る収容ケースと、その収容ケース内に収容され、紙幣載置面を裏面から照らす光源とを有している簡易型偽札判別器が開示されている（特許文献１）。
【０００７】
例えば、蛍光インキの印刷領域の判別機器としては、ＬＥＤからの紫外線をＵＶ検出面上の紙幣に照射させるものがある。これにより紙幣から発せられ検出軸線に沿って進行した蛍光のうちレッド領域の光は、ダイクロイックミラーで反射されフォトセンサで受光され、ミラーを透過した光のうちグリーン領域の光は、ダイクロイックミラーで反射されフォトセンサで受光され、ミラーを透過したブルー領域の光はフォトセンサで受光される。このように、検出軸線上へのミラーの配置という簡易的な構成で、紙幣からの蛍光を光の三原色に分けて検出し、各フォトセンサの出力信号に基づき紙幣の真偽判別を正確に行う技術が開示されている（特許文献２）。
【０００８】
例えば、磁気インキの印刷領域による判別機器としては、搬送される紙幣の表裏に対向して位置し、かつ、紙幣の磁気量を読み取る一対の透過型磁気センサを有し、その読み取った結果から紙幣を鑑別する紙幣鑑別装置において、対向した一対の透過型磁気センサを一体で固定する磁気センサ保持具と、磁気センサ保持具に固定して取り付けられる平板部とを有し、磁気センサ保持具は、搬送される紙幣が通過可能なように中央部に隙間を有し、かつ、その隙間部分に一対の透過型磁気センサを対向して固定し、平板部は、磁気センサ保持具の隙間部分に沿って取り付けられ、さらに、磁気センサ保持具は鋳物より成り、平板部は該鋳物より剛性の高いセラミックより成ることを特徴とする紙幣鑑別装置が開示されている（特許文献３）。
【０００９】
紙幣の金種及び真贋判定装置は、赤外線センサと、記憶手段を有するマイクロコンピュータとを有する。赤外線センサは、紙幣に描かれている図柄のうち、所定方向のライン上の図柄を読み取って、図柄に関する特徴パターンを検出する。記憶手段は複数のラインにおける金種ごとの基準パターンを記憶している。紙幣の金種及び真贋を判定する場合、特徴パターンを表す波形の少なくとも一部分における傾きを算出する。これとともに、波形の一部分に対応する基準パターンを表す波形の一部分における傾きを算出する。そして、これら傾き同士を比較して、互いに許容範囲内で一致する場合には、紙幣は基準パターンを有する金種であって真札であると判断する技術が開示されている（特許文献４）。
【００１０】
【特許文献１】実用新案登録第３１１０５２４号（第１−６頁、第１−３図）
【特許文献２】特開２００５−１２２３９２号公報（第１−４頁、第２図）
【特許文献３】特許第３３８５４６１号公報（第１−４頁、第１−１４図）
【特許文献４】特開平１１−２８３０６８号公報（第１−６頁、第１図）
【発明の開示】
【発明が解決しようとする課題】
【００１１】
従来、蛍光インキ、磁性インキ、すき入れ等が付与された印刷物は、印刷物の表面又は裏面の画像を読み取り、表面又は裏面の基準画像をあらかじめ記憶部に記憶させ、それぞれを比較し、印刷物の真偽や貴重印刷物では種別を行っていた。このように、表面又は裏面の基準画像との比較では、簡単に偽造されるおそれがあった。よって、基準データ又は基準パターンと比較して印刷物の真偽判別又は種別判別を行う場合は、複雑な基準データ又は基準パターンと比較して判別することが求められている。
【００１２】
本発明は、このような従来の問題を解決することを目的としたもので、赤外線吸収インキで印刷される領域を含む第１の領域と、赤外線吸収インキで印刷される領域を含む第２の領域を有する印刷物を所定の折り曲げ位置で折り曲げて、第１の領域及び前記第２の領域が重なった領域を形成し、重なった領域の赤外線の特徴データ又は赤外線吸収パターンを検出して、あらかじめ記憶された基準データ又は基準パターンと比較して、印刷物の種別判別及び／又は真偽判別を行うことが可能な印刷物の判別方法及びその判別機器を提案することを目的とする。
【課題を解決するための手段】
【００１３】
本発明は、赤外線吸収インキで印刷される領域を含む第１の領域と、赤外線吸収インキで印刷される領域を含む第２の領域を有する印刷物の判別方法において、前記印刷物を所定の折り曲げ位置で折り曲げて、前記第１の領域及び前記第２の領域が重なった領域を形成し、前記折り曲げた印刷物を判別機器の収納部の所定の位置に挿入し、光照射部と受光部から成る少なくとも一つの所定の位置に配置される検出部によって前記重なった領域に赤外線光を照射し、前記重なった領域の赤外線透過光を受光部で受光し、少なくとも一つの特徴データを検出し、記憶部にあらかじめ記憶される前記重なった領域の少なくとも一つの基準レベルを読み出し、前記基準レベルと前記検出された特徴データを演算部で比較し、比較結果に基づいて報知部によって前記印刷物の真偽の報知をすることを特徴とする印刷物の判別方法である。
【００１４】
また、本発明は、前記印刷物が貴重印刷物であって、前記基準レベルが貴重印刷物の種別ごとに設けられ、前記種別ごとの基準レベルと、前記検出された特徴データを演算部で比較し、比較結果に基づいて報知部によって前記貴重印刷物の種別の報知をすることを特徴とする印刷物の判別方法である。
【００１５】
また、本発明は、赤外線吸収インキで印刷される領域を含む第１の領域と、赤外線吸収インキで印刷される領域を含む第２の領域を有する印刷物の判別方法において、前記印刷物を所定の折り曲げ位置で折り曲げて、前記第１の領域及び前記第２の領域が重なった領域を形成し、前記折り曲げた印刷物を判別機器の収納部の所定の位置に挿入し、光照射部と受光部から成る検出部によって前記重なった領域に赤外線光を照射し、前記重なった領域の赤外線透過光を受光部で受光し、赤外線吸収パターンを検出し、記憶部にあらかじめ記憶される前記重なった領域の基準パターンを読み出し、前記基準パターンと、前記検出された赤外線吸収パターンを演算部でパターンマッチングによって比較し、比較結果に基づいて報知部によって前記印刷物の真偽の報知をすることを特徴とする印刷物の判別方法である。
【００１６】
また、本発明は、前記印刷物が貴重印刷物であって、前記基準レベルが貴重印刷物の種別ごとに設けられ、前記種別ごとの基準パターンと、前記検出された赤外線吸収パターンを演算部でパターンマッチングによって比較し、比較結果に基づいて報知部によって前記貴重印刷物の種別の報知をすることを特徴とする印刷物の判別方法である。
【００１７】
また、本発明は、前記第１の領域は、赤外線吸収インキで印刷される領域と、赤外線透過インキで印刷される領域から成り、前記第２の領域は、赤外線吸収インキで印刷される領域と、赤外線透過インキで印刷される領域から成ることを特徴とする印刷物の判別方法である。
【００１８】
また、本発明は、赤外線吸収インキで印刷される領域を含む第１の領域と、赤外線吸収インキで印刷される領域を含む第２の領域を有する印刷物の判別機器において、前記印刷物を所定の折り曲げ位置で折り曲げて、前記第１の領域及び前記第２の領域が重なった領域を形成し、前記折り曲げた印刷物を所定の位置に収納する収納部と、前記重なった領域の少なくとも一つの特徴データを検出するための、光照射部と受光部から成る少なくとも一つの所定の位置に配置される検出部と、前記重なった領域の少なくとも一つの基準レベルを記憶する記憶部と、前記基準レベルと前記検出された特徴データを比較する演算部と、比較結果に基づいて前記印刷物の真偽の報知をする報知部を有することを特徴とする印刷物の判別機器である。
【００１９】
また、本発明は、前記印刷物が貴重印刷物であって、前記基準レベルが貴重印刷物の種別ごとに設けられ、前記種別ごとの基準レベルと、前記検出された特徴データを演算部で比較し、比較結果に基づいて報知部によって前記貴重印刷物の種別の報知をすることを特徴とする印刷物の判別機器である。
【００２０】
また、本発明は、赤外線吸収インキで印刷される領域を含む第１の領域と、赤外線吸収インキで印刷される領域を含む第２の領域を有する印刷物の判別機器において、前記印刷物を所定の折り曲げ位置で折り曲げて、前記第１の領域及び前記第２の領域が重なった領域を形成し、前記折り曲げた印刷物を所定の位置に収納する収納部と、前記重なった領域の赤外線吸収パターンを検出するための光照射部と受光部から成る検出部と、前記重なった領域の基準パターンを記憶する記憶部と、前記基準パターンと前記検出された赤外線吸収パターンをパターンマッチングによって比較する演算部と、比較結果に基づいて前記印刷物の真偽の報知をする報知部を有することを特徴とする印刷物の判別機器である。
【００２１】
また、本発明は、前記印刷物が貴重印刷物であって、前記基準パターンが貴重印刷物の種別ごとに設けられ、前記種別ごとの基準パターンと、前記検出された赤外線吸収パターンを演算部で比較し、比較結果に基づいて報知部によって前記貴重印刷物の種別の報知をすることを特徴とする印刷物の判別機器である。
【発明の効果】
【００２２】
赤外線吸収インキで印刷される領域を含む第１の領域と、赤外線吸収インキで印刷される領域を含む第２の領域を有する印刷物を所定の折り曲げ位置で折り曲げて、第１の領域及び前記第２の領域が重なった領域を形成し、重なった領域の赤外線の特徴データ又は赤外線吸収パターンを検出して、あらかじめ記憶された基準データ又は基準パターンと比較することで、精巧な印刷物の種別判別及び／又は真偽判別を行うことが可能である。よって、本発明の印刷物の判別方法及びその判別機器は、複写機、プリンタ等で出力した偽造物と容易に真偽判別が可能となる。また、印刷物は、所定の折り曲げ位置で折り曲げて重なった領域の赤外線の特徴データ又は赤外線吸収パターンを検出することで、複雑な赤外線の特徴データ又は赤外線吸収パターンが得られる。よって、偽造者は赤外線の特徴データ又は赤外線吸収パターンが複雑なため複製することが困難となる。
【００２３】
また、貴重印刷物の種別判別及び／又は真偽判別を行う場合は、特徴データ又は赤外線吸収パターンが、貴重印刷物を二つ折りにしたことで、貴重印刷物の表裏印刷模様４面の赤外線吸収及び赤外線透過の合成された複雑な赤外線透過光が検出される。また、受光部で検出される信号の強弱を所定の段階に分けて判断することで正確な種別判別を可能にした。また、検出部を複数設置することでさらに、正確な種別判別を可能にした。
【００２４】
本発明の機器装置は、貴重印刷物を折り曲げて真偽判別を行うため、小型化、軽量化が可能である。よって、本発明の機器装置は、常に携帯することができ、どこでも容易に貴重印刷物の種別判別及び／又は真偽判別が可能となる。
【００２５】
さらに、本発明の機器装置に備える報知部は、画面表示、バイブレーション、音声等から成り、視覚障害者に貴重印刷物の種別等を伝えることで容易に判別を行うことが可能となる。
【発明を実施するための最良の形態】
【００２６】
本発明を実施するための最良の形態については、図面を参照して説明する。しかしながら、本発明は以下に述べる実施するための最良の形態に限定されるものではなく、特許請求の範囲記載における技術的思想の範囲内であれば、その他のいろいろな実施の形態が含まれる。
【００２７】
本発明の判別方法及びその判別機器に用いられる印刷物Ａについては、図１を用いて説明する。基材１は、折り曲げ可能な基材１である。特に紙葉類が好ましい。図１（ａ）は、基材１に赤外線吸収インキで印刷された領域２ａを含む第１の領域２と、赤外線吸収インキで印刷された領域３ａを含む第２の領域３が形成される。図１（ｂ）は、基材１に赤外線吸収インキで印刷された領域２ａと、赤外線透過インキで印刷された領域２ｂから成る第１の領域２と、赤外線吸収インキで印刷された領域３ａと、赤外線透過インキで印刷された領域３ｂから成る第２の領域３が形成される。
【００２８】
図２（ａ）は、基材１の表面１ａに第１の領域２及び第２の領域３を形成した例である。図２（ｂ）は、基材１の裏面１ｂに第１の領域２及び第２の領域３を形成した例である。図２（ｃ）は、基材１の表面１ａに第１の領域２を形成し、裏面１ｂに第２の領域３を形成した例である。図２（ｃ）に示す形態は、基材１の裏面１ｂに第１の領域２を形成し、表面１ａに第２の領域３を形成することも可能である。なお、印刷物は、第１の領域２及び第２の領域３に限定されることなく、図２（ｄ）に示すように表面１ａに第１の領域２及び第２の領域３を形成し、裏面１ｂに第３の領域４及び第４の領域５を形成し、第１の領域２、第２の領域３、第３の領域４及び第４の領域５の重なった領域を形成することも可能である。第１の領域２、第２の領域３、第３の領域４及び第４の領域５のデザインは特に限定されるものではない。また、印刷物は表面の一つのデザインを第１の領域２と第２の領域３に分割し、裏面の一つのデザインを第３の領域４と第４の領域５に分割し、これらを重ね合わせて重なった領域を形成することも可能である。
【００２９】
図１、図２のように形成された印刷物Ａは、図３に形成するように印刷物Ａを所定の折り曲げ位置Ｘで折り曲げて、第１の領域及び第２の領域が重なった領域６を形成する。図３（ａ）は、長辺方向の折り曲げ位置Ｘによって内側に折り曲げられた場合である。図３（ｂ）は、長辺方向の折り曲げ位置Ｘによって外側に折り曲げられた場合である。図３（ｃ）は、短辺方向の折り曲げ位置Ｘによって内側に折り曲げられた場合である。図３（ｄ）は、短辺方向の折り曲げ位置Ｘによって外側に折り曲げられた場合である。印刷物Ａは、図３（ａ）、図３（ｂ）、図３（ｃ）又は図３（ｄ）に示すように第１の領域及び第２の領域を重ね合わせ、重なった領域６を形成する。印刷物の折り曲げ方は、上記説明に限定されるものではない。
【００３０】
本発明の印刷物の判別方法については、図４、図５及び図６を用いて説明する。
【００３１】
（判別方法１）
本発明の印刷物の判別方法については、図４に示すようにＳＴＥＰ１で図１、図２に示した印刷物を図３に示した所定の折り曲げ位置で折り曲げて、第１の領域及び第２の領域が重なった領域を形成する。
【００３２】
ＳＴＥＰ２は、ＳＴＥＰ１で折り曲げた印刷物を判別機器の収納部の所定の位置に挿入し、光照射部と受光部から成る少なくとも一つの所定の位置に配置される検出部によって重なった領域に赤外線光を照射し、重なった領域の赤外線透過光を受光部で受光し、少なくとも一つの特徴データを検出する。
【００３３】
ＳＴＥＰ３は、記憶部にあらかじめ記憶される重なった領域の少なくとも一つの基準レベルを読み出し、基準レベルとＳＴＥＰ２で検出された特徴データを演算部で比較する。
【００３４】
ＳＴＥＰ４は、ＳＴＥＰ３の比較結果に基づいて報知部によって印刷物の真偽を報知する。報知部は、液晶等の小型表示画面、バイブレーション、音声等によって真偽を報知する。
【００３５】
印刷物が貴重印刷物である場合は、基準レベルが貴重印刷物の種別ごとに設けられ、種別ごとの基準レベルと、検出された特徴データを演算部で比較し、比較結果に基づいて報知部によって貴重印刷物の種別の報知をすることもできる。
【００３６】
上記記載の特徴データは、受光部（赤外線センサ）で読み取られた数値データであり、信号の強弱を２５６、５１２等に段階分けたものである。基準レベルは、あらかじめ設定される上限及び下限の範囲が設定される数値データであり、信号の強弱を２５６、５１２等に段階分けたものである。
【００３７】
上記説明は、折り曲げた印刷物を判別機器の収納部の所定の位置に挿入しているが、折り曲げられた印刷物が挿入可能な搬送部よって搬送して真偽判別を行っても良い。
【００３８】
（判別方法２）
本発明の印刷物の判別方法については、図５に示すようにＳＴＥＰ１で図１、図２に示した印刷物を図３に示した所定の折り曲げ位置で折り曲げて、第１の領域及び第２の領域が重なった領域を形成する。
【００３９】
ＳＴＥＰ２は、ＳＴＥＰ１で折り曲げた印刷物を判別機器の収納部の所定の位置に挿入し、光照射部と受光部から成る検出部によって重なった領域に赤外線光を照射し、重なった領域の赤外線透過光を受光部で受光し、赤外線吸収パターンを検出する。
【００４０】
ＳＴＥＰ３は、記憶部にあらかじめ記憶される重なった領域の基準パターンを読み出し、基準パターンと、ＳＴＥＰ２で検出された赤外線吸収パターンを演算部でパターンマッチングによって比較する。
【００４１】
ＳＴＥＰ４は、ＳＴＥＰ３の比較結果に基づいて報知部によって印刷物の真偽を報知する。報知部は、液晶等の小型表示画面、バイブレーション、音声等によって真偽を報知する。
【００４２】
印刷物が貴重印刷物である場合は、基準レベルが貴重印刷物の種別ごとに設けられ、種別ごとの基準パターンと、検出された赤外線吸収パターンを演算部でパターンマッチングによって比較し、比較結果に基づいて報知部によって貴重印刷物の種別の報知をすることもできる。
【００４３】
上記記載の赤外線吸収パターンは、受光部（赤外線センサ）で読み取られた重なった領域の赤外線吸収の画像パターンである。基準パターンは、あらかじめ設定される基準となる赤外線吸収の画像パターンでありパターンマッチングによって比較する。
【００４４】
上記説明は、折り曲げた印刷物を判別機器の収納部の所定の位置に挿入しているが、折り曲げられた印刷物が挿入可能な搬送部よって搬送して真偽判別を行っても良い。
【００４５】
（判別方法３）
本発明の印刷物の判別方法については、図６に示すようにＳＴＥＰ１で図１、図２に示した印刷物を図３に示した所定の折り曲げ位置で折り曲げて、第１の領域及び第２の領域が重なった領域を形成する。
【００４６】
ＳＴＥＰ２は、ＳＴＥＰ１で折り曲げた印刷物を判別機器の搬送部によって搬送し、光照射部と受光部から成る少なくとも一つの所定の位置に配置される検出部によって、重なった領域に赤外線光を照射し、折り曲げた印刷物の長辺方向又は短辺方向の少なくとも一つのライン上の重なった領域の赤外線透過光を受光部で受光し、少なくとも一つの特徴波形データを検出する。
【００４７】
ＳＴＥＰ３は、記憶部にあらかじめ記憶される重なった領域の少なくとも一つの基準レベルを読み出し、基準レベルとＳＴＥＰ２で検出された特徴波形データを演算部で比較する。
【００４８】
ＳＴＥＰ４は、ＳＴＥＰ３の比較結果に基づいて報知部によって印刷物の真偽を報知する。報知部は、液晶等の小型表示画面、バイブレーション、音声等によって真偽を報知する。
【００４９】
印刷物が貴重印刷物である場合は、基準レベルが貴重印刷物の種別ごとに設けられ、種別ごとの基準レベルと、検出された特徴波形データを演算部で比較し、比較結果に基づいて報知部によって貴重印刷物の種別の報知をすることもできる。
【００５０】
特徴波形データは、赤外吸収波形又は赤外透過波形である。
【００５１】
本発明の印刷物の判別機器については、図７、図８及び図１０を用いて説明する。
【００５２】
（判別機器１）
本発明の印刷物の判別機器については、図１、図２に示した印刷物を図３に示した所定の折り曲げ位置で折り曲げて、第１の領域及び第２の領域が重なった領域を形成する。
【００５３】
図７に示すように判別機器１１ａは、折り曲げた印刷物を収納する収納部１２、折り曲げた印刷物に赤外線を照射する光照射部１３、赤外線透過光を受光する受光部１４、受光した出力信号を増幅させる増幅器１５及び出力信号をデジタルデータに変換するアナログ／デジタル変換回路１６から成る検出部１７、基準レベルが記憶されるコンピュータ等の記憶部１８、基準レベルと特徴データを比較する演算部１９、印刷物の真偽等を検査者に報知する報知部２０、判別機器１１ａに電源を入れる電源部２１を設ける。
【００５４】
光照射部１３は、赤外光源であり、白熱球、発光ダイオード、ハロゲンランプ、太陽光、ＨＩＤランプ（Ｈｉｇｈ  Ｉｎｔｅｎｓｉｔｙ  Ｄｉｓｃｈａｒｇｅｄ  Ｌａｍｐ）等の光を照射するものから適宜選択すれば良い。受光部１４は、ＣＣＤエリアセンサカメラ等が挙げられる。
【００５５】
折り曲げられた印刷物Ａは、判別機器の収納部１２の所定の位置に挿入し、対向した一対の光照射部１３と受光部１４から成る少なくとも一つの所定の位置に配置される検出部１７によって重なった領域に赤外線光を照射し、重なった領域の赤外線透過光を受光部で受光し、受光された出力信号は、増幅器１５で増幅され、アナログ／デジタル変換回路１６でデジタル信号に変換され、２５６、５１２等に段階分けした少なくとも一つの特徴データ（数値データ）を検出する。記憶部１８にあらかじめ記憶された少なくとも一つの基準レベルを読み出し、読み出された基準レベルと、検出された少なくとも一つの特徴データを演算部１９で比較し、比較結果に基づいて報知部２０によって印刷物の真偽を報知する。報知部は、液晶等の小型表示画面、バイブレーション、音声等によって真偽を報知する。
【００５６】
この場合の折り曲げられた印刷物は、判別機器の収納部で挿入でる。受光部１４が検知できるように収納部の高さは１ｍｍ〜２ｍｍ程度が好ましい。また、検出部は、可視光がカットできるように周辺をボックス等の形状にしていることが好ましい。さらに、、光照射部１３と受光部１４の距離は５ｍｍ〜７ｍｍ程度が好ましい。また、貴重印刷物の種別判別する場合は、対向した一対の光照射部１３と受光部１４は、複数個配置させることが好ましく、４〜１０個程度設けることによって正確な種別判別が可能となる。また、対向した一対の光照射部１３と受光部１４を複数個配置した場合は、それぞれ中心を基準に対称に配置する必要がある。ただし、中心は一つの光照射部１３と受光部１４を設けても良い。判別機器１１ａは、電池で動かすと、消費電力を少なくするために駆動しているとき判定する最低の時間だけ、回路を動かして電池の消費を抑えている。このとき光照射部１３の赤外ＬＥＤは、初期点灯時の光量の安定性が悪い。そのために光照射部１３の赤外ＬＥＤは、実際の判定のための点灯をする前にエージング点灯（暖気運転）を何度か行うことで、光量の安定を良くすることができ、正確な判定をすることができる。この場合のエージング点灯は、100Hzでduty10%のパルス点灯を４回以上行うことが好ましい。また、判定はパルス点灯から得られた電圧値の平均値をとることが好ましい。折り曲げられた印刷物は、曲げられた方向から収納部の所定の位置に挿入することが好ましい。
【００５７】
上記説明では折り曲げた印刷物を判別機器１１ａ、収納部の所定の位置に挿入しているが、折り曲げられた印刷物が挿入可能な搬送部によって搬送して真偽判別を行っても良い。この場合、受光部１４は、ＣＣＤラインセンサカメラが好ましい。
【００５８】
電源部２１は、電源をＯＮにすることによって搬送機構が動作する。
【００５９】
（判別機器２）
本発明の印刷物の判別機器については、図１、図２に示した印刷物を図３に示した所定の折り曲げ位置で折り曲げて、第１の領域及び第２の領域が重なった領域を形成する。
【００６０】
図８に示すように判別機器１１ｂは、折り曲げた印刷物を収納する収納部１２、折り曲げた印刷物に赤外線を照射する光照射部１３、赤外線透過光を受光する受光部１４、受光した出力信号を増幅させる増幅器１５及び出力信号をデジタルデータに変換するアナログ／デジタル変換回路１６から成る検出部１７、基準パターンが記憶されるコンピュータ等の記憶部１８、基準パターンと赤外吸収パターンを比較する演算部１９、印刷物の真偽等を検査者に報知する報知部２０、判別機器１１ｂに電源を入れる電源部２１を設ける。
【００６１】
光照射部１３は赤外光源であり、白熱球、発光ダイオード、ハロゲンランプ、太陽光、ＨＩＤランプ等の光を照射するものから適宜選択すれば良い。受光部１４は、ＣＣＤエリアセンサカメラ等が挙げられる。
【００６２】
上記説明では折り曲げた印刷物を判別機器１１ｂ、収納部の所定の位置に挿入しているが、折り曲げられた印刷物が挿入可能な搬送部によって搬送して真偽判別を行っても良い。
【００６３】
折り曲げられた印刷物は、判別機器の収納部１２の所定の位置に挿入し、対向した一対の光照射部１３と受光部１４から成る少なくとも一つの所定の位置に配置される検出部１７によって重なった領域に赤外線光を照射し、重なった領域の赤外線透過光を受光部で受光し、受光された出力信号は、増幅器１５で増幅され、アナログ／デジタル変換回路１６でデジタル信号に変換され、図９（ａ）に示すような赤外線吸収パターンを検出する。記憶部１８にあらかじめ記憶された図９（ｂ）に示すような基準パターン（基準となる赤外吸収パターン）を読み出し、読み出された基準パターンと、検出された赤外吸収パターンを演算部１９でパターンマッチングによって比較し、比較結果に基づいて報知部２０によって印刷物の真偽を報知する。報知部は、液晶等の小型表示画面、バイブレーション、音声等によって真偽を報知する。
【００６４】
この場合の折り曲げられた印刷物は、判別機器の収納部に挿入できる。受光部１４が検知できるように収納部の高さは１ｍｍ〜２ｍｍ程度が好ましい。また、検出部は、可視光がカットできるように周辺をボックス等の形状にしていることが好ましい。さらに、、光照射部１３と受光部１４の距離は５ｍｍ〜７ｍｍ程度が好ましい。また、貴重印刷物の種別判別する場合は、対向した一対の光照射部１３と受光部１４は、複数個配置させることが好ましく、４〜１０個程度設けることによって正確な種別判別が可能となる。また、対向した一対の光照射部１３と受光部１４を複数個、配置した場合は、それぞれ中心を基準に対称に配置する必要がある。ただし、中心は一つの光照射部１３と受光部１４を設けても良い。判別機器１１ｂは、電池で動かすと、消費電力を少なくするために駆動しているとき判定する最低の時間だけ、回路を動かして電池の消費を抑えている。このとき光照射部１３の赤外ＬＥＤは、初期点灯時の光量の安定性が悪い。そのために光照射部１３の赤外ＬＥＤは、実際の判定のための点灯をする前にエージング点灯を何度か行うことで、光量の安定を良くすることができ、正確な判定をすることができる。この場合のエージング点灯は、100Hzでduty10%のパルス点灯を４回以上行うことが好ましい。また、判定はパルス点灯から得られた電圧値の平均値をとることが好ましい。折り曲げられた印刷物は、曲げられた方向から収納部の所定の位置に挿入することが好ましい。
【００６５】
上記説明では折り曲げた印刷物を判別機器１１ｂ、収納部の所定の位置に挿入しているが、折り曲げられた印刷物が挿入可能な搬送部によって搬送して真偽判別を行っても良い。この場合、受光部１４は、ＣＣＤラインセンサカメラが好ましい。
【００６６】
電源部２１は、電源をＯＮにすることによって搬送機構が動作する。
【００６７】
（判別機器３）
本発明の印刷物の判別機器については、図１、図２に示した印刷物を図３に示した所定の折り曲げ位置で折り曲げて、第１の領域及び第２の領域が重なった領域を形成する。
【００６８】
図１０に示すように判別機器１１ｃは、折り曲げた印刷物を搬送する搬送部２２、折り曲げた印刷物に赤外線を照射する光照射部１３、赤外線透過光を受光する受光部１４、受光した出力信号を増幅させる増幅器１５及び出力信号をデジタルデータに変換するアナログ／デジタル変換回路１６から成る検出部１７、基準レベルが記憶されるコンピュータ等の記憶部１８、基準レベルと特徴波形データを比較する演算部１９、印刷物の真偽等を検査者に報知する報知部２０、判別機器１１ｃに電源を入れる電源部２１を設ける。
【００６９】
光照射部１３は赤外光源であり、白熱球、発光ダイオード、ハロゲンランプ、太陽光、ＨＩＤランプ等の光を照射するものから適宜選択すれば良い。受光部１４は、ＣＣＤラインセンサカメラ等が挙げられる。
【００７０】
折り曲げられた印刷物は、判別機器の搬送部２２に挿入し、光照射部１３と受光部１４から成る少なくとも一つの所定の位置に配置される検出部１７によって重なった領域に赤外線光を照射し、重なった領域の赤外線透過光を受光部で受光し、受光された出力信号は、増幅器１５で増幅され、アナログ／デジタル変換回路１６でデジタル信号に変換され、図１１に示すような折り曲げた印刷物の長辺方向又は短辺方向の少なくとも一つのライン上の重なった領域（図面では長辺方向８ａ、８ｂ、８ｃ）の赤外線透過光を受光部で受光し、少なくとも一つの特徴波形データ９ａ、９ｂ、９ｃ（赤外吸収波形又は赤外透過波形）を検出する。記憶部１８にあらかじめ記憶された少なくとも一つの基準レベル１０を読み出し、図１１に示すような読み出された基準レベルと、検出された少なくとも一つの特徴波形データを演算部１９で比較し、比較結果に基づいて報知部２０によって印刷物の真偽を報知する。報知部は、液晶等の小型表示画面、バイブレーション、音声等によって真偽を報知する。
【００７１】
この場合の折り曲げられた印刷物は、判別機器の収納部で挿入できる。受光部１４が検知できるように収納部の高さは１ｍｍ〜２ｍｍ程度が好ましい。また、検出部は、可視光がカットできるように周辺をボックス等の形状にしていることが好ましい。さらに、光照射部１３と受光部１４の距離は５ｍｍ〜７ｍｍ程度が好ましい。また、貴重印刷物の種別判別する場合は、対向した一対の光照射部１３と受光部１４は、複数個配置させることが好ましく、４〜１０個程度設けることによって正確な種別判別が可能となる。また、対向した一対の光照射部１３と受光部１４を複数個配置した場合は、それぞれ中心を基準に対称に配置する必要がある。ただし、中心は一つの光照射部１３と受光部１４を設けても良い。判別機器１１ｃは、電池で動かすと、消費電力を少なくするために駆動しているとき判定する最低の時間だけ、回路を動かして電池の消費を抑えている。このとき光照射部１３の赤外ＬＥＤは、初期点灯時の光量の安定性が悪い。そのために光照射部１３の赤外ＬＥＤは、実際の判定のための点灯をする前にエージング点灯を何度か行うことで、光量の安定を良くすることができ、正確な判定をすることができる。この場合のエージング点灯は、100Hzでduty10%のパルス点灯を４回以上行うことが好ましい。また、判定はパルス点灯から得られた電圧値の平均値をとることが好ましい。折り曲げられた印刷物は、曲げられた方向から収納部の所定の位置に挿入することが好ましい。
【００７２】
電源部２１は、電源をＯＮにすることによって搬送機構が動作する。
【００７３】
貴重印刷物を判別する場合は、上記の判別機器１１ａ、１１ｂ又は１１ｃに、さらに、磁気センサを設置して、さらに、正確な種別判別及び／又は真偽判別を行うことができる。
【００７４】
（実施例１）
図１２に示すように判別機器１１は、折り曲げた商品券である貴重印刷物Ｂを収納する１．５ｍｍ（高さ）の開口を有する収納部１２、折り曲げた商品券である貴重印刷物の赤外線を検出する一対の対向した赤外線を照射する赤外線ＬＥＤ１３（抵抗値１７Ω：電流２３３ｍＡ）及び赤外線透過光を受光する赤外線センサ１４、受光した出力信号を増幅させる増幅器１５及び出力信号をデジタルデータに変換するアナログ／デジタル変換回路１６から成る検出部を有する。赤外線ＬＥＤ１３と赤外線センサ１４の距離は５ｍｍとした。判別機器１１では、七つの一対の対向した赤外線ＬＥＤ１３と赤外線センサ１４を設けた。七つの一対の対向した赤外線ＬＥＤ１３と赤外線センサ１４は、中心に一つを設け、残りの六つは中心を基準に対称に配置した（図面では二つのみ記載）。千円の商品券、五千円の商品券及び一万円の商品券の各基準レベルが記憶されるメモリから成る記憶部１８、基準レベルと特徴データを比較する演算部１９、印刷物の真偽等を検査者に報知するスピーカー２０、判別機器１１に電源を入れる電源部２１から成る。判別機器１１は電池で動作し、エージング点灯を100Hzでduty10%のパルス点灯を４回行ってから検出を行った。判別はパルス点灯で行った。判別機器１１は検出部に可視光が入らないようにボックス形状にした。
【００７５】
赤外線センサ１４は、信号の強弱を２５６に段階分けし、各貴重印刷物のあらかじめ定められた検出位置の信号を検出し、あらかじめ定められた千円の商品券、五千円の商品券及び一万円の商品券の各基準レベルと比較して各貴重印刷物の種別をスピーカーによって音声で被検査者に報知することができた。このとき貴重印刷物は、所定の位置曲げ位置で貴重印刷物を折り曲げて、折り曲げた部分から開口を有する収納部１２に挿入した（図１３）。また、千円の商品券、五千円の商品券及び一万円の商品券の各基準レベル以外のものについては、読み取り不可能となり、偽造券とした。
【図面の簡単な説明】
【００７６】
【図１】印刷物Ａの説明図である。
【図２】第１の領域２及び第２の領域３の関係を示す図である。
【図３】所定の折り曲げ位置Ｘで折り曲げて、第１の領域及び第２の領域が重なった領域を形成する説明図である。
【図４】判別方法１の流れ図である。
【図５】判別方法２の流れ図である。
【図６】判別法３の流れ図である。
【図７】判別機器１１ａの説明図である。
【図８】判別機器１１ｂの説明図である。
【図９】検出される赤外線吸収パターンとあらかじめ記憶される基準パターンの説明図である。
【図１０】判別機器１１ｃの説明図である。
【図１１】長辺方向８ａ、８ｂ、８ｃの特徴波形データ９ａ、９ｂ、９ｃと基準レベル１０の説明図である。
【図１２】実施例１の判別機器１１である。
【図１３】実施例１の貴重印刷物の挿入方法である。
【符号の説明】
【００７７】
１          基材
１ａ          表面
１ｂ          裏面
２ａ、３ａ          赤外線吸収インキで印刷された領域
２          第１の領域
３          第２の領域
２ｂ、３ｂ          赤外線透過インキで印刷された領域
４          第３の領域
５          第４の領域
６          重なった領域
７ａ          赤外線吸収パターン
７ｂ          基準パターン
８ａ、８ｂ、８ｃ          長辺方向
９ａ、９ｂ、９ｃ          特徴波形データ
１０          基準レベル
１１、１１ａ、１１ｂ、１１ｃ          判別機器
１２          収納部
１３          光照射部
１４          受光部
１５          増幅器
１６          アナログ／デジタル変換回路
１７          検出部
１８          記憶部
１９          演算部
２０          報知部
２１          電源部
２２          搬送部
Ａ          印刷物
Ｂ          貴重印刷物
【図１】
2007213360.tif 000003
【図２】
2007213360.tif 000004
【図３】
2007213360.tif 000005
【図４】
2007213360.tif 000006
【図５】
2007213360.tif 000007
【図６】
2007213360.tif 000008
【図７】
2007213360.tif 000009
【図８】
2007213360.tif 000010
【図９】
2007213360.tif 000011
【図１０】
2007213360.tif 000012
【図１１】
2007213360.tif 000013
【図１２】
2007213360.tif 000014
【図１３】
2007213360.tif 000015